(57)【要約】【目的】光源の指向性を弱め、かつ、よりスペースを効率よく使用し、光量ムラの極めて少なく、視認性の良いファインダー内照明装置を得る事を可能とする。【構成】カメラ上部にはカメラ外観部品となるトップカバー７が設けられ、このトップカバー７とペンタプリズム４の間には不図示の電装フレキが配置され、また、前方には不図示のマウント、フロントカバー８が設けられている。ペンタプリズム４の上部には光偏向部材としての測距マークを有するＳＩプレート３とピント板２上の第１次結像とをスーパーインポーズ表示させるために、光学ブロック５、光束を制限するためのマスクＭ１，Ｍ２，Ｍ３，Ｍ４，Ｍ５、光源ＬＥＤ６３が配置されている。さらに、光源ＬＥＤ６３と上記光束を制限するためのマスクＭ１，Ｍ２，Ｍ３，Ｍ４，Ｍ５の間には、光源の指向性を広げるために光拡散部材のポリエステルシートフィルム１０が配置されている。【選択図】図１
2005234148.tif 000002
【特許請求の範囲】
【請求項１】
対物レンズより入射した光束が反射部材により反射され、物体像が形成される予定結像面近傍に光偏向性を有する複数の表示部が配置され、対物レンズ光路、ファインダー光路から外れた部位に配置された光学ブロックを介して前記光偏向部を照射、照明する光源を有するファインダー内照明装置において、上記光源と光学ブロックの間に、光拡散部材を入れたことを特徴とするカメラのファインダー内照明装置。
【請求項２】
対物レンズより入射した光束が反射部材により反射され、物体像が形成される予定結像面近傍に光偏向性を有する複数の表示部が配置され、対物レンズ光路、ファインダー光路から外れた部位に配置された光学ブロックを介して前記光偏向部を照射、照明する光源を有するファインダー内照明装置において、上記光源と光学ブロックの間に光源からの光束を制限する遮光部材を有し、この遮光部材は拡散性を持つ光透過部と光源の光束を制限する為の、不透過部よりなっていることを特徴とするカメラのファインダー内照明装置。
【請求項３】
光拡散部材は、粘着性を持ち、光源、光学ブロック若しくは、その他光不透過部材等に接着されていることを特徴とする請求項１に記載のカメラのファインダー内照明装置。
【請求項４】
光学ブロックは樹脂成型によりなり、光源と対向する面の少なくとも一面は光学鏡面ではなく、シボ等の拡散効果を持った面よりなることを特徴とする請求項１または請求項２に記載のカメラのファインダー内照明装置。
【発明の詳細な説明】
【技術分野】
【０００１】
本発明は、ファインダー画面内照明装置に関するものであり、更に詳しくは一眼レフカメラや、ビデオカメラなどにおいてファインダー内に撮影に必要な情報をファインダー光路外からの照明により、スーパーインポーズ表示するファインダー内照明装置に関するものである。
【背景技術】
【０００２】
従来、例えば一眼レフカメラファインダー内の予定結像点（第１次結像点）に撮影情報を重ねて表示する所謂スーパーインポーズ表示が種種知られている。一眼レフカメラには撮影に必要な情報をファインダー視野内に表示する必要がある。撮影に必要な情報とは、例えばシャッター速度や絞り値の情報、露出補正情報などカメラの露出に関する情報や、ＡＦ（オートフォーカス、Ａｕｔｏ  Ｆｏｃｕｓ）に使用される測距エリアや、重点測光、スポット測光位置を表す測光エリアマーク、ストロボの使用の表示、焦点検出情報（フォーカスエイド、前ピン、後ピン情報）、パノラマ撮影範囲、パノラマ情報などがある。
【０００３】
この種のカメラのファインダー内照明装置は特開２００１-３０５５３９号公報に示される機構が一般に知られている。多点（複数点）ＡＦ機能を有する一眼レフカメラに於いては、複数ある測距エリアのうちのどの測距エリアが選択測距されているのかをユーザーに認識させる必要がある。この測距エリア選択認識機能が無いと、ユーザーが意図した被写体以外の被写体にＡＦが行われてしまう虞があるからである。この表示機能としてファインダー視野枠外に配置されているＬＣＤ等のファインダー内表示部にファインダー視野内の測距エリア位置に対応した形状を模式的に表し、選択させているエリアのみを表示させ、ユーザーにどの部位の測距エリアを選択しているか認識させる方法や、液晶を第１次結像点近傍に配置し測距エリア、測光エリアなどをファインダー画面に直接スーパーインポーズさせる方式がある。
【０００４】
しかしながら上記特許文献における方式では、ファインダー内に於ける被写体の位置と、測距位置を認識させるＬＣＤ表示部との距離が離れている為、選択測距エリアを確認するために被写体から目を動かす必要があることから視認性が良いとは言えず、また、測距エリアの暗転によって測距エリアマークを表示させるため、ファインダー画面が暗くなり、特に被写体輝度が低くなった場合、開放Ｆ値の大きなレンズを対物レンズとして装着させた場合にファインダーの明瞭性等の観察視認性が著しく低下するという問題点がある。
【０００５】
上記問題点を回避するためにファインダー光路から外れた位置にＬＥＤ等の光源、光束を制限するマスク、この光源からの光束を予定結像点近傍に照射させるための光学ブロックを配置する。光源からの光は、マスクにより適切に光を制限され、光学ブロックに入射する。光学ブロックで反射、屈折、全反射等をして光路を変換させられた後射出された光束はペンタダハ光学系を介し、予定結像点近傍に配置された光偏向部材を用いて反射、若しくは回折され、ファインダーを介して観察する事で測距エリアの選択を認識する方法が特開２０００-１２２１５１号公報等で考案されている。
【特許文献１】特開２００１−３０５５３９号公報
【特許文献２】特開２０００−１２２１５１号公報
【発明の開示】
【発明が解決しようとする課題】
【０００６】
光偏向部材に十分な光量の光束を到達させるためには、小型のチップ型ＬＥＤ照明装置ではなく、大型のＬＥＤを用いる必要がある。これは、大型ＬＥＤの方が大きい光量を持つ事はもとより、小型ＬＥＤは照射角が広いものが多いため、ある程度限定された広さしかない光偏向部材にＬＥＤより発光された光を効率良く導く事が難しいためである。
【０００７】
大型のＬＥＤを使用することにより、光量を効率よく確保する事が可能になるが、この大型ＬＥＤは小型ＬＥＤとは反対に、ある狭い領域に強い指向性を持つものが多い。これは、光源からの光が到達し、反射、回折を用いてファインダーに導くための光偏向部材が狭いながらもある程度の領域を持つことを考慮すると、その狭い光偏向部材内に光量ムラが発生し、視認性の良くないファインダー内表示装置になってしまう。また、部品加工精度や組立時の組み込みばらつきを考慮する際、光偏向部材の領域より、ある程度余裕を見た領域をほぼ均一に照射することが出来るファインダー内表示システムを構築することが望ましい。
【課題を解決するための手段】
【０００８】
上記課題を解決するために、本発明では、対物レンズより入射した光束の物体像が形成される予定結像面近傍に、光偏向性を有する複数の表示部が配置され、対物レンズ光路、ファインダー光路から外れた部位に配置された光学ブロックを介して、前記光偏向部を照射、照明するスーパーインポーズ機能を有するカメラにおいて、上記光源と光学ブロックの間に、光拡散部材を入れることを特徴とするカメラのファインダー内照明装置を提供する。
【０００９】
また、上記光拡散部材は粘着性を持った部材で構成されており、光源、光学ブロックもしくは他の部材に接着との方法で取り付けられていることが更に望ましい。
【００１０】
さらに、これと同様の効果をもたらすものとして、光学ブロックの光源と対向する面を、シボ等の拡散処理を施した樹脂により成型されているものでも、同様の効果を期待することができる。
【発明の効果】
【００１１】
本発明のファインダー内照明装置ではＬＥＤ光源と樹脂成型からなり、光源と対向する面の少なくとも一面が光学鏡面ではなく、シボ等の拡散効果を持った面を有する光学ブロックの間に光拡散部材、または拡散性を持つ光透過部と光源の光束を制限するための不透過部を有し、上記ＬＥＤ光源からの光束を制限する遮光部材等を配置するようにしたので、光源の指向性を弱め、かつ、よりスペースを効率よく使用し、光量ムラの極めて少なく、視認性の良いファインダー内照明装置を得る事ができる。
【発明を実施するための最良の形態】
【００１２】
以下図面を参照して本発明のもっとも有効な実施形態を説明する。図１は本発明の第１実施形態であるファインダー内照明装置を備えたカメラの中央断面図で、図２は本発明の第１実施形態であるファインダー内照明装置を備えたカメラのファインダー装置の斜視図である。
【００１３】
図１において、カメラ上部にはカメラ外観部品となるトップカバー７が設けられている。このトップカバー７とペンタプリズム４の間には不図示の電装フレキが配置されている。また、前方には不図示のマウントそして、フロントカバー８が同じく設けられている。
【００１４】
不図示の対物レンズ（撮影光学系）を介した被写体光は、ミラーダウン位置にある可動ハーフミラー１により反射されて、ピント板２近傍に第１の結像をする。この第１次結像された像がＳＩプレート３、ペンタプリズム４、ファインダー光学系９を介してアイポイント上にある撮影者の目に到達する。又、ミラーアップ時は対物レンズを介した被写体光はピント板２及びアイポイントには導かれず、可動ハーフミラー１後方に配置されたフィルムやＣＣＤ，ＣＭＯＳ等の撮像素子上に露光する。
【００１５】
ペンタプリズム４の上部にはＳＩプレート３に設けられた後述する光偏向部材としての測距マークとピント板２上の第１次結像とをスーパーインポーズ表示させるために、光偏向部材としての測距マークを照射するための光学ブロック５、図５に示される光束を制限するためのマスクＭ１，Ｍ２，Ｍ３，Ｍ４，Ｍ５、さらに、光源ＬＥＤ６３が配置されている。また、光源ＬＥＤ６３と上記光束を制限するためのマスクＭ１，Ｍ２，Ｍ３，Ｍ４，Ｍ５の間には、光源の指向性を広げるために光拡散部材（この実施例の場合、厚み０．０５ｍｍ程度のポリエステルシートフィルム状の光拡散部材）が配置されている。上記ＳＩプレート３には光偏向部材が、ＡＦ測距位置を表す測距マークＨ１，Ｈ２，Ｈ３，Ｈ４，Ｈ５として図３のように配置されている。
【００１６】
次に本実施形態における照明系の詳細な説明を行う。
【００１７】
スーパーインポーズユニットは、ＬＥＤ光源６３とそのＬＥＤの光束を制限するマスクＭ１，Ｍ２，Ｍ３，Ｍ４，Ｍ５、マスクより射出した光束をＳＩプレート３に導く様にペンタプリズム４に入射させる役割を持つ光学ブロック５より構成されている。光学ブロック５とＬＥＤの光束を制限するマスクＭ１，Ｍ２，Ｍ３，Ｍ４，Ｍ５の間には光拡散部材のポリエステルシートフィルム１０が配置されている。図１のようにこの実施例では、光源ＬＥＤ６３がペンタプリズム４と、トップカバー７の間に配置されており、光学ブロック５が、ペンタプリズム４上前方の位置に配置されている。光源ＬＥＤはＳＩプレート３の光偏向部材の測距マークＨ１，Ｈ２，Ｈ３，Ｈ４，Ｈ５の数に従って５つが図２に示すように光源ＬＥＤ６１，６２，６３，６４，６５として配置されている。光学ブロック５は該５つの光源ＬＥＤ６１，６２，６３，６４，６５から投光された光束を夫々ペンタプリズム４、ＳＩプレート３の光偏向部材の測距マークに導く役割を持つ。この光学ブロック５は光源ＬＥＤ６１の光束をファインダー左側の光偏向部材の測距マークに導く部位と光源ＬＥＤ６２，６３，６４の光束を夫々、ファインダー上、中、下の光偏向部材の測距マークに導くための中央部位、光源ＬＥＤ６５をファインダー右側に導くための部位の３つに分かれている。但し図５のようにこの実施例ではこの３つの部位は一体として樹脂成形されている。
【００１８】
夫々光源ＬＥＤ６１，６２，６３，６４，６５からの光束は、射出レンズを用いて対応する光偏向部材の測距マークに光源の光束を照射している。この際、射出レンズは光偏向部材の測距マーク夫々に対応させると５つ必要になるが、図５に示すように、この中央のファインダー上、中、下に光束を導く光源ＬＥＤ６２，６３，６４からの光束を集光させる射出レンズは１つの射出レンズＲ２で３つの光源からの光束を、３つの測距エリアの位置の光偏向部材の測距マークＨ２，Ｈ３，Ｈ４に照射を行っている。左右の射出レンズＲ１，Ｒ３と中心の射出レンズＲ２では、パワーの異なる曲面で構成されている。この面は球面でも良いし、非球面でも良いが光を集光させる正のパワーを持つ面として構成されている。これらの射出レンズはマスクの形状を適切な倍率でＳＩプレート３の光偏向部材の測距マークＨ１，Ｈ２，Ｈ３，Ｈ４，Ｈ５に照射する役割を持つ。パワーが中心と周辺で異なるのは左右の光偏向部材の測距マークの形状寸法と、上、中、下の光偏向部材の測距マークの形状寸法が異なるためであり、光源ＬＥＤ６３と光学ブロック５の間に配置されたマスクの像とＳＩプレート３に投影する倍率を異ならせ、光源ＬＥＤ６３から照射し、マスクを透過した光を、光偏向部材の測距マークにより適切にムダ、ムラなく照射させるためである。
【００１９】
光源ＬＥＤ６１は図２のようにペンタプリズム４のダハ斜面に沿った位置に配置されている。これは、配置の際ペンタプリズム４のダハ斜面より密着させて配置させた方が、トップカバー７等の他パーツとの干渉を避けるために有利なためである。但し、完全に密着はさせておらず、ペンタプリズム４と、光源ＬＥＤ６３の間には不図示の電装フレキが配置されている。この電装フレキはファインダー内照明用のＬＥＤ光源を発光制御させるためだけのフレキではなくカメラ全体を制御するフレキも含まれる。光源ＬＥＤ６１から照射された光束は、図５に図示されている光束を制限するマスクＭ１を透過する事により、迷光と成り得る不必要な光束を遮断する。マスクを透過した後、図６に図示されている光拡散部材のポリエステルシートフィルム１０を介し、光学ブロック５左側に入射し、面Ｓ１で全反射をし、面Ｓ０に向かって偏向させられる。この光拡散部材のポリエステルシートフィルム１０はシート状の薄いものであり片面に粘着性物質がついており、マスクに接着する形で取り付けられている。面Ｓ１は光源ＬＥＤ６１からの光束が全反射をするような角度に適切に設定されている。面Ｓ０は、全反射を起こす角度に設定されていないため、銀、アルミ等が真空蒸着、スパッタ等の手段により付着され、反射面処理がなされている。面Ｓ０で反射された光は射出レンズＲ１に導かれる。射出レンズＲ１により光束は集光され、ペンタプリズム４に入射し、そのまま反射、拡散することなく透過する。透過した光はペンタプリズム４の下に位置するＳＩプレート３に入射する。ＳＩプレート３にはファインダー上で観察したい形状に光偏向部材としての測距マークＨ１を配置してある。また、この形状は必ずしも測距マークである必要はなく、測光範囲マークやパノラママーク等でもよい。
【００２０】
この光偏向部材の測距マークは、図４の断面図に示されるように光源からの光を２回全反射行うことにより、上部に向かって偏向され再びペンタプリズム４に入射し、ファインダー光学系９からアイポイントに導かれる。この偏向される角度はＳＩプレート３の位置、光学ブロック５、ＬＥＤ光源６３の位置によりほぼ一義的に決定される。この光偏向部材の測距マークは全反射を利用しているため、この２回の反射において光量のロスがなく、また、反射物質を蒸着や塗装により附着させる必要もなく、光源光束の光量を有効にアイポイントに導く事が出来る。光偏向部材は測距マーク、測光マーク、パノラママークのいずれであっても、ＬＥＤ光源６３の射出径の大きさに対し比較的大きな寸法を持つ。ＬＥＤ光源６３は指向ピーク角度を中心にある配光角を持つ。配光角の大きなＬＥＤ光源を使用すると前述の通り、ＬＥＤ光源発光光量のうち照射面である光偏向部材の測距マークに届く光量にロスが生じるばかりか、光学ブロック５内の設計想定外の面に照射されることによる迷光、ゴースト光の発生原因になる。そのため配光角の比較的狭いＬＥＤ光源を使用するが、このようなＬＥＤ光源は指向ピーク角度と配光限度角での射出光量の差が著しい。このことは被写体面である光偏向部材の測距マークが、ある広さ領域を持つため、照射される光量にムラを生じさせる原因となる。これは観察者側、アイポイントから考えると、光偏向部材の測距マークに照射された光が２度全反射をすることにより、光路はアイポイントに向かって偏向される。この偏向された光をペンタプリズム４、ファインダー光学系９を介してアイポイントで観察する。つまり、ＬＥＤ光源６３の光量射出ムラがそのまま、光偏向部材の測距マークへの照射ムラになり、アイポイント上の観察者に観察されることになる。
【００２１】
光源ＬＥＤ６２は、図２のようにペンタプリズム４のダハ斜面に沿って、光源ＬＥＤ６１と後述の光源ＬＥＤ６３の間に配置されている。後述するが光源ＬＥＤ６３はほぼペンタプリズム４のダハ頂辺にほぼ密着して配置されている。この光源ＬＥＤ６２から光束は、ＳＩプレート３上における上側の測距エリアＨ２に照射されるように光学ブロック５の形状は決定されている。この光源ＬＥＤ６２の光軸は光学ブロック５から見て、光源ＬＥＤ６１，光源ＬＥＤ６３のそれと比べて下方向から光学ブロック５に光束が入射するような角度に設定されている。そのため光源ＬＥＤ６２の光軸は、光学ブロック５にほぼ直行して入射する光源ＬＥＤ６３より、大きな開き角（ペンタプリズム４のダハ長辺に対し）を有し、前述の光源ＬＥＤ６１の光軸よりは、小さな開き角を持つ。光源ＬＥＤ６１，６２，６３はペンタプリズム４のダハ斜面に沿って配置されているが、光束が光学ブロック５に入射する角度が異なるため、この光源ＬＥＤ６１，６２，６３のうちどの２つの光軸も同一平面上には存在しない、ねじれの位置関係にある。よってこの３つの光軸を法線とする平面は、どの２つも平行、若しくは同一平面上にある関係にはならない。
【００２２】
光源ＬＥＤ６２から照射された光束は図５に図示されている光束を制限するマスクＭ２を透過する事により迷光と成り得る不必要な光束を遮断する。光源ＬＥＤ６１と同様、マスクＭ２を透過した後、図６に図示されている光拡散部材のポリエステルシートフィルム１０を透過することにより指向性を弱められ、光学ブロック５中央部に入射し、面Ｓ２で全反射をし、面Ｓ０に向かって偏向させられる。この面Ｓ０は前述の光源ＬＥＤ６１の光束を反射させた面と同一平面であるが、光源ＬＥＤ６１の光束を反射させる領域と光源ＬＥＤ６２の面（後述の光源ＬＥＤ６５の面も同様に領域が異なる）とは、反射に使用する領域が異なるため、この面の蒸着は面Ｓ０全面に施しても良いし、光源ＬＥＤ６１と光源ＬＥＤ６２，６３，６４と光源ＬＥＤ６５が使用する反射必要領域毎３つに分けても良い。必要領域毎に分ける事で、必要光束を確保する事を可能とした上で、迷光と成り得る不必要な光束を遮断することも可能となる。またＳ０面は同一平面に領域を配置する必要もない。光源ＬＥＤ６１からの光が照射する領域の面と光源ＬＥＤ６２からの光が照射する領域の面と面を分けることで、設計に自由度をもたせることができ、光源ＬＥＤ６１、６２（後述の光源ＬＥＤ６３，６４，６５）の配置決定に自由度を持つ事が出来る。また、このことは光偏向部材の測距マークＨ１，Ｈ２，Ｈ３，Ｈ４，Ｈ５の配置にも影響する。
【００２３】
面Ｓ０に到達した光束は面Ｓ０で反射され、図５に図示されている射出レンズＲ２に導かれる。この射出レンズＲ２により光束は集光されペンタプリズム４に入射する。ペンタプリズム４に入射した光束はペンタプリズム４内を反射、拡散することなく、そのまま透過し、ペンタプリズム４の下に位置するＳＩプレート３に入射する。ＳＩプレート３にはファインダー上で観察したい形状に光偏向部材の測距マークＨ２を配置してある。この光源ＬＥＤ６２からの光束はファインダー上部に配置する測距マークＨ２に照射される。この測距マークＨ２で前述の様に２回全反射を行うことにより、偏向され、再びペンタプリズム４に入射し、ファインダー光学系９からアイポイントに導かれる。この偏向される角度は、ＳＩプレート３の位置と光学ブロック５の位置、ＬＥＤ光源６３の位置により決定される一義的な値である。またこの光束は真上（ＳＩプレート３に対して９０°）にではなくアイポイントに導く角度に偏向されるよう適切な角度に偏向角を設定しており、前述の光源ＬＥＤ６１からの光束を偏向する測距マークＨ１とは偏向角を異ならせている。この面も全反射面を利用しているため、この２回の反射においても光量ロスが無く、光源の光束を有効にアイポイントに導く事が出来る。
【００２４】
光源ＬＥＤ６３から照射された光束は、図５に図示されている光束を制限するマスクＭ３を通過することにより、迷光と成り得る不必要な光束を遮断する。この光源ＬＥＤ６３は、前述の様にペンタプリズム４のダハ頂辺にほぼ沿って配置されている。しかし、この光源ＬＥＤ６３の光軸はダハ頂辺と平行にはなく、多少下を向いた角度に配されている。光源ＬＥＤ６３からの光束はマスクＭ３を透過した後、光源ＬＥＤ６１，６２と同様、図６に図示されている光拡散部材のポリエステルシートフィルム１０を透過することにより指向性を弱められ、光学ブロック５中央部に入射し、そのまま面Ｓ０に到達する。つまり光源ＬＥＤ６１，６２（後述の光源ＬＥＤ６４，６５）のように全反射を使用すること無く、反射を１回少ない回数で面Ｓ０に光束が導かれる。この面Ｓ０に到達した光の領域は光源ＬＥＤ６２（後述の光源ＬＥＤ６４共）とほぼ等しい位置、広さになるが完全に一致はしない。この面Ｓ０に到達した光は面Ｓ０で反射され、光源ＬＥＤ６２（後述の光源ＬＥＤ６４）と同様照射レンズＲ２に導かれる。この照射レンズＲ２により光束は集光されペンタプリズム４に入射する。ペンタプリズム４に入射した光束はペンタプリズム４内で反射、拡散する事なく、そのまま透過し、その下に位置するＳＩプレート３に入射する。ＳＩプレート３にはファインダー上で観察したい形状に光偏向部材の測距マークＨ３を配置してある。この場合はファインダー中心の測距マークＨ３である。この部材で前述のように２回全反射を行う事により偏向され再びペンタプリズム４に入射し、ファインダー光学系９からアイポイントに導かれる。この偏向される角度は、ＳＩプレート３の位置と光学ブロック５の位置、ＬＥＤ光源６３の位置により決定される値である。この面も全反射を利用しているため、この２回の反射においても光量ロスが無く、光源の光束を有効にアイポイントに導く事が出来る。この光偏向面は、ＳＩプレート３に対して垂直（９０°）に光束を偏向するように設定されている。
【００２５】
光源ＬＥＤ６４は光源ＬＥＤ６２とほぼ対称に配置している。しかし、光軸の傾きにはかなり大きな差異がある。カメラ上部から見ると光源ＬＥＤ６３に対して光源ＬＥＤ６２とほぼ対称に配置しているが、図２のファインダー装置の斜視図で見ると光源ＬＥＤ６２はダハ斜面にほぼ沿って光軸が上向きになっているが、光源ＬＥＤ６４はダハ斜面との開き角が光源ＬＥＤ６２よりも大きい。このため、光源ＬＥＤ６２と光源ＬＥＤ６４の光軸も同一平面状に無く、ねじれの位置関係にあることがわかる。光源ＬＥＤ６４から照射された光束は、図５に図示されているマスクＭ４を透過しそして、図６に図示されている光拡散部材のポリエステルシートフィルム１０で光を拡散され、光学ブロック５に入射する。面Ｓ４で全反射を行い、面Ｓ０に導かれる。面Ｓ０より反射した光束は射出レンズＲ２で集光され、ペンタプリズム４に入射、透過し、ＳＩプレート３の光偏向部材の測距マークＨ４で全反射する。この場合はファインダー下側の測距マークＨ４である。偏向した光は真上にではなくアイポイントに導く角度に偏向される。この偏向角も測距マークＨ２，Ｈ３とは異なる偏向角を有している。
【００２６】
光源ＬＥＤ６５は図２に図示されているように光源ＬＥＤ６１と対称に配置している。この実施例では完全に対称に配置しているが、ペンタプリズム４上部に配置される不図示の電装フレキに実装されるパーツの配置、トップカバー７との干渉などの影響により、完全に対称に配置する必要も無いし、対称に近い形とする必要も無い。光源ＬＥＤ６５から照射された光束は図５に図示されているマスクＭ５を通過しそして、図６に図示されている光拡散部材のポリエステルシートフィルム１０を透過することにより指向性が弱められ、光学ブロック５に入射する。そして面Ｓ５で全反射し、面Ｓ０に導かれる。面Ｓ０より反射をした光束は照射レンズＲ３で集光され、ペンタプリズム４に入射、透過し、ＳＩプレート３の光偏向部材の測距マークＨ５で全反射され、ファインダー光学系９からアイポイントに導かれる。この場合はファインダー内右側の測距マークＨ５である。
【００２７】
この光偏向部材の測距マークＨ１，Ｈ３，Ｈ５の偏向角は、等しく設定されている。これは図１のカメラの中央断面図より分かるように、断面方向から見ると、アイポイントから、照射レンズまで光路展開をした際、光源ＬＥＤ６１，６３，６５から射出レンズＲ２，光偏向部材の測距マークＨ１，Ｈ３，Ｈ５を介してアイポイントまで一直線にならぶ光路を辿るためである。
【００２８】
これらのマスクＭ１，Ｍ２，Ｍ３，Ｍ４，Ｍ５は光源ＬＥＤ６１，６２，６３，６４，６５より照射された光が、拡散し、夫々に対応しない光偏向部材の測距マークを照明することや、ペンタプリズム４やファインダー光路内で迷光となることを防いでいる。また光偏向部材の測距マークＨ１，Ｈ２，Ｈ３，Ｈ４，Ｈ５までの領域の大きさ、形状と各射出レンズＲ１，Ｒ２，Ｒ３の倍率、射出状態の違いにより、これらのマスクＭ１，Ｍ２，Ｍ３，Ｍ４，Ｍ５の開口寸法は異なり、形状は長方形であったり、平行四辺形、若しくは菱形、正方形であったりする。
【００２９】
又、本実施例では、上記光偏向部材の測距マークＨ１，Ｈ２，Ｈ３，Ｈ４，Ｈ５を多点ＡＦに用いる測距エリアの選択位置を観察者に認識させるために配置している。多点ＡＦ機能はファインダー視野内の複数部位の任意の位置でＡＦを合焦させることを可能とする機能である。これは被写体が必ずしもファインダー中央部に無いために、周辺部位にも測距可能なエリアが設けられている。しかしながら実際の撮影では、周辺部位の測距エリアを使用する頻度よりも中央部位の測距エリアを使用する頻度が圧倒的に多い。これは被写体が中央測距エリア部位に無くともフォーカスロック機構を使用することにより周辺部の被写体にも中心測距センサーで合焦させることが可能であることや、又、周辺部ＡＦ測距センサーは中央部のＡＦ測距センサーと比べて合焦精度が悪いとされるためである。それゆえ中央の測距部位を表す光偏向部材の測距マークの領域を広くしたり、その部位に照射する光量を大きくしたりして、周辺部位測距エリアより観察者に認識しやすくすることが求められる。よって周辺に照射する光束より、中心部の測距エリアＨ３に照射する光源ＬＥＤ６３より照射された光束の光学ブロック５内での光学的作用、特に反射の回数を少なくすることにより、視認性の良いファインダー内照明装置を得ることが出来る。
【００３０】
さらに、この光源ＬＥＤ６１，６２，６４，６５からの光束は、光学ブロック５内で夫々全反射を起こす面を有している。これらの面で全反射を起こし、同一面である面Ｓ０に向かって偏向させられる。この光学ブロック５には図５に示す上記全反射面が４つ設けられているが、この夫々の面は同一平面上に設置されておらず、平行に無い光軸を持った光源からの光束を、面Ｓ０により効率良く、導くことを可能としている。
【００３１】
本実施例では、図６に図示されている光拡散部材のポリエステルシートフィルム１０を、光束を制限するマスクと光学ブロック５の間に配置したが、これは、ＬＥＤ光源６３と光束を制限するマスクの間に入れることでも、光源の指向性を弱め、アイポイントからファインダー光学系９及びペンタプリズム４を介して観察する光偏向部材の測距マークＨ１，Ｈ２，Ｈ３，Ｈ４，Ｈ５への光量ムラを減少させることと同様の効果が期待できる。接着性を持たせていれば光束を制限するマスクのＬＥＤ光源側、光学ブロック５側いずれに接着しても構わないし、場合によりＬＥＤ光源６３、光学ブロック５に接着設置させることも可能である。拡散の効果については光拡散部材のポリエステルシートフィルム１０の材質や厚みを変更することで、容易に最適な拡散効果を得ることが可能な部材を選択することが出来る。しかも、光源ＬＥＤ６１，６２，６３，６４，６５まで同一の光拡散部材のポリエステルシートフィルム１０を用いる必要も無いし、場合により１つ若しくは２つにのみ光拡散部材のポリエステルシートフィルム１０を入れることも考えられる。
【００３２】
また、光拡散部材のポリエステルシートフィルム１０をＬＥＤ光源６３と光束を制限するマスク、若しくはマスクと光学ブロック５の間に配置する代わりに、図８に図示されているように光学ブロック５の光束を制限するマスクに対向した面にシボ１３（ベアロン社シボサンプルＢＫ１００９相当など）をつけることで同様の光拡散効果を得ることができる上に、パーツ点数の減少、組立工程削減につながりより望ましい。
【００３３】
同じく、図７に図示されている光束を制限するための遮光部材を、拡散性を持つ拡散板１１と光束を制限するための遮光板１２の一体物として、例えば樹脂成型で作成し、遮光部材上に遮光必要部位を印刷、塗装処理をすることでも同様の効果を期待できる。この方法でも一体のものであり組立作業簡略化、パーツ点数削減になる。
【図面の簡単な説明】
【００３４】
【図１】ファインダー内照明装置を備えたカメラの中央断面図である。
【図２】ファインダー装置の斜視図である。
【図３】ＳＩプレート上のＡＦ測距マークの配置模式図である。
【図４】ＳＩプレートにおける２回全反射の様子を表した断面図である。
【図５】光学ブロックの斜視図である。
【図６】ポリエステルシートフィルムの接着面の様子を表した平面図である。
【図７】遮光部材の配置の様子を表した断面図である
【図８】シボの接着面の様子を表した断面図である。
【符号の説明】
【００３５】
１  可動ハーフミラー
２  ピント板
３  ＳＩプレート
４  ペンタプリズム
５  光学ブロック
７  トップカバー
８  フロントカバー
９  ファインダー光学系
１０  ポリエステルシートフィルム
１１  拡散板
１２  遮光板
１３  シボ
Ｓ０  面
Ｓ１  面
Ｓ２  面
Ｓ４  面
Ｓ５  面
６１  光源ＬＥＤ
６２  光源ＬＥＤ
６３  光源ＬＥＤ
６４  光源ＬＥＤ
６５  光源ＬＥＤ
Ｈ１  測距マーク
Ｈ２  測距マーク
Ｈ３  測距マーク
Ｈ４  測距マーク
Ｈ５  測距マーク
Ｒ１  射出レンズ
Ｒ２  射出レンズ
Ｒ３  射出レンズ
Ｍ１  マスク
Ｍ２  マスク
Ｍ３  マスク
Ｍ４  マスク
Ｍ５  マスク
【図１】
2005234148.tif 000003
【図２】
2005234148.tif 000004
【図３】
2005234148.tif 000005
【図４】
2005234148.tif 000006
【図５】
2005234148.tif 000007
【図６】
2005234148.tif 000008
【図７】
2005234148.tif 000009
【図８】
2005234148.tif 000010